(57)【要約】【課題】夏場にはアルミ缶やプラスチックボトルなどの飲料容器の表面に発生する結露を防止し、冬場には断熱を可能にし、自販機内で缶が落下する際に起こる凹みの発生を減少させることができる片面あるいは両面印刷胴巻きラベル及びその胴巻きラベル付き飲料容器を提供すること。【解決手段】飲料容器２の胴部に装着する胴巻きラベル１であって、該胴巻きラベル１は方形状の片面あるいは両面印刷ラベル１０とその一面に接着された紙層１１からなり、該紙層１１は、該片面あるいは両面印刷ラベル１０の上下幅より上下共に幅狭に形成されて上部と下部に余白部を形成できる幅に構成されることを特徴とする片面あるいは両面印刷胴巻きラベル。【選択図】        図１
2005062701.tif 000002
【特許請求の範囲】
【請求項１】
飲料容器の胴部に装着する胴巻きラベルであって、該胴巻きラベルは方形状の片面あるいは両面印刷ラベルとその一面に接着された紙層からなり、該紙層は、該片面あるいは両面印刷ラベルの上下幅より上下共に幅狭に形成されて上部と下部に余白部を形成できる幅に構成されることを特徴とする片面あるいは両面印刷胴巻きラベル。
【請求項２】
前記紙層が、前記片面あるいは両面印刷ラベルに接着される基材紙と該基材紙に接着される波紙で構成されることを特徴とする請求項１記載の片面あるいは両面印刷胴巻きラベル。
【請求項３】
飲料容器の胴部に装着してなる片面あるいは両面印刷胴巻きラベル付き飲料容器であって、該片面あるいは両面印刷胴巻きラベルは方形状の片面あるいは両面印刷ラベル及びその一面に接着された紙層からなり、該紙層は、該片面あるいは両面印刷ラベルの上下幅より上下共に幅狭に形成されて上部と下部に余白部を形成できる幅に構成され、少なくとも前記片面あるいは両面印刷ラベルの紙層の存在しない余白部及び紙層の裏面が前記容器の胴部に接着されてなることを特徴とする片面あるいは両面印刷胴巻きラベル付き飲料容器。
【請求項４】
前記紙層が、前記片面あるいは両面印刷ラベルに接着される基材紙と該基材紙に接着される波紙で構成されることを特徴とする請求項１記載の片面あるいは両面印刷胴巻きラベル付き飲料容器。
【請求項５】
前記飲料容器が、印刷情報を含まないことを特徴とする請求項３又は４記載の片面あるいは両面印刷胴巻きラベル付き飲料容器。
【発明の詳細な説明】
【技術分野】
【０００１】
本発明は片面あるいは両面印刷胴巻きラベル及びその胴巻きラベル付き飲料容器に関し、詳しくは、結露防止性、断熱効果、クッション性に優れる片面あるいは両面印刷胴巻きラベル及びその胴巻きラベル付き飲料容器に関する。
【背景技術】
【０００２】
飲料容器としては、首部から胴部に向かって径が漸次増大する肩部を有する容器が普及しており、アルミ缶やプラスチックボトル（例えばペットボトル）が多く用いられている。
【０００３】
かかる容器には、通常、商品名や製造元などの情報を容器に直接印刷あるいは片面印刷したラベルが貼着されており、かかる印刷情報は、商品販売戦略上有効に機能している。
【０００４】
プラスチックボトルやアルミ缶飲料商品は、近年、自販機で販売されているが、夏場の場合は、冷蔵保存されており、購入して自販機から取り出すと、容器の表面に結露が生じ、その結露が服や手などを濡らすという問題がある。
【０００５】
また、アルミ缶同様、ウーロン茶のようなペットボトル飲料商品の場合も、冬場には加温されており、自販機から取り出すと、熱くて握れず蓋（キャップ）もあけられないという問題がある。
【０００６】
さらに、アルミ缶飲料商品の場合、自販機から取り出す際に、そのショックで缶に凹みが発生し、商品価値を損なわせるという問題がある。  
【発明の開示】
【発明が解決しようとする課題】
【０００７】
そこで、本発明の課題は、夏場にはアルミ缶やプラスチックボトルなどの飲料容器の表面に発生する結露を防止し、冬場には断熱を可能にし、自販機内で缶が落下する際に起こる凹みの発生を減少させることができる片面あるいは両面印刷胴巻きラベル及びその胴巻きラベル付き飲料容器を提供することを課題とする。
【０００８】
本発明の他の課題は、以下の記載によって明らかとなる。
【課題を解決するための手段】
【０００９】
上記課題は、以下の各発明によって解決される。
【００１０】
（請求項１）飲料容器の胴部に装着する胴巻きラベルであって、該胴巻きラベルは方形状の片面あるいは両面印刷ラベルとその一面に接着された紙層からなり、該紙層は、該片面あるいは両面印刷ラベルの上下幅より上下共に幅狭に形成されて上部と下部に余白部を形成できる幅に構成されることを特徴とする片面あるいは両面印刷胴巻きラベル。
【００１１】
（請求項２）前記紙層が、前記片面あるいは両面印刷ラベルに接着される基材紙と該基材紙に接着される波紙で構成されることを特徴とする請求項１記載の片面あるいは両面印刷胴巻きラベル。
【００１２】
（請求項３）飲料容器の胴部に装着してなる片面あるいは両面印刷胴巻きラベル付き飲料容器であって、該片面あるいは両面印刷胴巻きラベルは方形状の片面あるいは両面印刷ラベル及びその一面に接着された紙層からなり、該紙層は、該片面あるいは両面印刷ラベルの上下幅より上下共に幅狭に形成されて上部と下部に余白部を形成できる幅に構成され、少なくとも前記片面あるいは両面印刷ラベルの紙層の存在しない余白部及び紙層の裏面が前記容器の胴部に接着されてなることを特徴とする片面あるいは両面印刷胴巻きラベル付き飲料容器。
【００１３】
（請求項４）前記紙層が、前記片面あるいは両面印刷ラベルに接着される基材紙と該基材紙に接着される波紙で構成されることを特徴とする請求項１記載の片面あるいは両面印刷胴巻きラベル付き飲料容器。
【００１４】
（請求項５）前記飲料容器が、印刷情報を含まないことを特徴とする請求項３又は４記載の片面あるいは両面印刷胴巻きラベル付き飲料容器。  
【発明の効果】
【００１５】
本発明によれば、夏場にはアルミ缶やプラスチックボトルなどの飲料容器の表面に発生する結露を防止し、冬場には断熱を可能にし、自販機内で缶が落下する際に起こる凹みの発生を減少させることができる片面あるいは両面印刷胴巻きラベル及びその胴巻きラベル付き飲料容器を提供することができる。
【発明を実施するための最良の形態】
【００１６】
以下、本発明の実施の形態について図面に基づいて説明する。
【００１７】
図１は本発明の胴巻きラベルの一例を示す平面図であり、図２は同図の断面図である。
【００１８】
１は胴巻きラベルであり、該胴巻きラベル１は方形状の片面あるいは両面印刷ラベル１０とその裏面に接着された紙層１１からなる。紙層１１を印刷ラベル１０の裏面に接着するに際しては、紙層１１の全面が接着されていてもよいし、仮止め程度の接着でもよい。
【００１９】
片面あるいは両面印刷ラベル１０の形状は、方形状であればよく、例えば図示の例では長方形となっている。しかし、巻きつける対象である容器の径と胴部の長さによっては、ラベルの縦方向（幅方向）と横方向（長さ方向）の長さが一致する場合もあり、従って正方形も含む。
【００２０】
紙層１１の形状は、好ましくは方形状であり、図示の例では長方形を採用している。しかし、方形状であれば、長方形に限定されず、正方形でもよい。また方形状の形態の輪郭は全て直線である必要はなく、一部曲線を含んでもよい。また2以上の方形状の組み合わせであってもよい。
【００２１】
該紙層１１は、幅方向においては、片面あるいは両面印刷ラベル１０の上下幅Lより上下共に幅狭に形成され、上部と下部に余白部を形成できる幅に構成される。１０Aは上余白部であり、１０Bは下余白部である。
【００２２】
また該紙層１１は、横方向（長さ方向）においては、片面あるいは両面印刷ラベル１０の横方向（長さ方向）の長さMと実質的に同一の長さ（紙層が若干短くてもよい）に形成される。１１C、１１Dは紙層１１の左右端部である。
【００２３】
紙層１１の形態は特に限定されるわけではないが、図２に示すように片面あるいは両面印刷ラベル１０に接着される基材紙１１Aと該基材紙１１Aに接着される波紙１１Bで構成されることが好ましい。
【００２４】
上記の胴巻きラベル１を容器に装着するには、図３に示すように、胴巻きラベル１を、容器２の背面に配置し、次いで胴巻きラベル１を容器２に巻きつけて、接着する。
【００２５】
接着部となるのは、紙層の波紙１１Bの表面と、上余白部１０A、下余白部１０B、左端部１１C、右端部１１Dである。
【００２６】
接着剤は特に限定されないが、無公害接着剤を使用することが環境上好ましい。
【００２７】
本発明では、従来のシュリンク・ストレッチラベルように、折り曲げたり、センターシールしないで済むのでコストも安い。シュリンク方式では予め袋状に形成したラベルを容器に被せて熱風収縮していたが、本発明では方形状のラベルのまま折り曲げたり、センターシールせずに接着できる。
【００２８】
巻き付けの対象となる容器２は、例えば缶又はプラスチックボトル、ガラス容器などの飲料容器である。缶は、例えば各種缶飲料容器などが挙げられ、具体的には炭酸入り飲料のようなアルミ缶飲料容器などが挙げられ、プラスチックボトルとしては、例えばウーロン茶のような各種飲料入りのペットボトル飲料容器などが挙げられる。
【００２９】
該容器２には印刷情報は印刷されていない場合に本発明の効果を良好に奏する。該容器２は胴部２０と肩部２１を少なくとも有している。
【００３０】
次に本発明の胴巻きラベル付き飲料容器の一例を図４に基づいて説明する。
【００３１】
図４は本発明の胴巻きラベル付き飲料容器の一例を示す一部切欠き斜視図である。
【００３２】
図４において、胴巻きラベル１は飲料容器２の胴部２０に巻き付けられ、接着固定されている。
【００３３】
本実施の形態において、片面あるいは両面印刷ラベル１０は、広範なプラスチックフィルムを使用できる。
【００３４】
片面あるいは両面印刷ラベル１０の表面及び裏面には、各種印刷法（例えば、グラビア印刷、凸版印刷、オフセット印刷、スクリーン印刷、フレキソ印刷など）により、各種情報を印刷することができる。
【００３５】
表面（紙層が形成されていない面）に印刷される情報は、商品名、商品の品質表示等であり、裏面（紙層が形成されている面）に印刷される情報は通常は見えないが、紙層ラベルを剥がしたときに有効な販売促進などの情報（例えばクーポン券、点数券などのノベルティー表示など）が含まれる。
【００３６】
本発明の好ましい態様では、このようにラベルに両面印刷することによって、情報量を倍増可能にしている。  
【００３７】
また裏面の情報を閲覧可能にするために、ラベルの上下方向に切り取り線１２が予め形成されていることが好ましい。このように切り取り可能にすることによって、ラベルを消費者自らが容器から剥離するため、ラベルと容器を回収又は廃棄前に分離できるので、リサイクルの便宜に供することが可能となり、トータルコストダウンに寄与する。
【００３８】
本発明において、紙層に用いられる紙は、結露を吸収するパルプ繊維からなる紙がよい。
【００３９】
本発明では、紙層の存在によって、印刷ラベル付き容器を夏場に自販機から取り出した際に、ラベル表面に結露が発生しない。容器と紙層の間に発生する水分は紙層が吸収するからである。
【００４０】
冬場においては、紙層が断熱効果を発揮するため、容器表面が熱くなるのを防ぐので、開閉が容易になり、持ち運びやすくなる。
【００４１】
更に紙層自体にクッション性があるので、自販機内で容器が落ちても凹みの発生を減少する。特に図１及び図２に示すような波紙を使用すると、よりクッション性は向上する。
【００４２】
以上、本発明の実施の形態を説明したが、紙層は容器２の胴部２０の周方向に沿って巻きつけ固着されていればよく、紙層の構成は図１及び図２の態様には限定されない。例えばクッション性のある１枚紙で構成されてもよい。あるいは波紙に代えてハニカム状の折紙を使用することもできる。
【図面の簡単な説明】
【００４３】
【図１】本発明の片面あるいは両面印刷胴巻きラベルの一例を示す平面図
【図２】図１の断面図
【図３】本発明の片面あるいは両面印刷胴巻きラベルの一例の装着前の状態を示す説明図
【図４】本発明の片面あるいは両面印刷胴巻きラベル付き飲料容器の一例を示す一部切欠き斜視図
【符号の説明】
【００４４】
１：胴巻きラベル
１０：片面あるいは両面印刷ラベル
１１：紙層
２：飲料容器
【図１】
2005062701.tif 000003
【図２】
2005062701.tif 000004
【図３】
2005062701.tif 000005
【図４】
2005062701.tif 000006